(57)【要約】      （修正有）【課題】生け花の水を往々にして入れ忘れた状態でさらに花を劣化させる欠点をなくし、花を維持管理し、しかも取付け、取り外し容易な手段で自動的に新鮮な保水等を適時に補充する簡易な容器を低コストで提供する。【解決手段】補水を入れるアンプル状容器１に一重ストロー管２を挿入して、花瓶の生け花横より一重ストロー管２で花瓶底へ挿入することで用水高を決め、アンプル状容器１を花瓶内に立て独立安定保持する。サイホン作用で自動的に補水を適時用水内に補充する。又、用水内外での使用中止の場合は、一重ストロー管２を容器内の奥まで挿入し、空気室に入れると一重ストロー管２には新たな補水元がなくなる。容器口は空気口が狭く表面張力が働くため容器内の水は外にこぼれることはない。【選択図】図１
2006087413.tif 000002
【特許請求の範囲】
【請求項１】
アンプル状容器に一重ストロー管を挿入して、容器口間と僅かな間隙の空気穴をゆうし、又、一重ストロー管には補水送出穴が有り、先端にアンプル状容器の蓋を取り付け、蓋の外環側に枝を出し、枝は調整棒とし、アンプル状容器外管側の滑り止めに沿い用水高の目盛り表示ができ、一重ストロー管を容器内の空気室に入ると容器口の表面張力で補水せず、一重ストロー管を用水に立てることで容器を保持し、容器口と水面とを待機位置とし、減水時は容器口より空気が流入し、一重ストロー管より自動的に用水内に補水し、用水内の表面水位を一定位置に維持する機能を特徴とする生花用の自動給水容器である。
【発明の詳細な説明】
【技術分野】
【０００１】  本発明は、生花用の水、抗菌剤、有機酸など鮮度保持の生花用自動給水容器に関するものである。
【背景の技術】
【０００２】  花器及び花瓶の花の維持に必要な空気、太陽光、以外の新鮮な補水等を適時に補充することは花の美しさを持続することになる。
鮮度保持用剤はあるが古水には時間と共に酸化劣化しやすい、自動的に新鮮な補水等を適時に補充する簡易なものがなく、往々に忘れやすい状態で花はしおれ、枯れ、さらに進むと細菌が繁殖して腐廃する欠点があった。
特許広報によると、献花用の自動給水器で従来の貯蔵用水と似たものである。
【特許文献１】特開平２００２−００００９６号広報  献花用の自動給水器で水が無くなると給水するもの。
【特許文献２】特開平０９−１０２３３０号公報  切り花の花立て用の給水装置は点滴用に似た吊り下げ用。
【特許文献３】特開平２０００−１０２３３０号公報
【発明の開示】
【発明が解決しようとする課題】
【０００３】  本発明は上記の往々に忘れやすい状態でさらに劣化する欠点をなくし、花を維持管理し、しかも取付け、取外し容易な手段で自動的に新鮮な補水等を適時に補充する簡易な容器の機能を低コストで提供する。
【課題を解決するための手段】
【０００４】１．本発明の生花用の自動給水容器は補水を入れるアンプル状容器（１）に一重ストロー管（２）を挿入して、一重ストロー管外環側は容器口間と僅かな間隙の空気穴をゆうし又、一重ストロー管には補水送出穴が有り、先端にアンプル状容器の蓋を取り付け、蓋の外環側に枝を出し、枝は調整棒（３）とし、アンプル状容器外管側の滑り止め（４）に沿う。
２．調整棒はアンプル状容器内の一重ストロー管が全容器内の動作範囲内で動作するものである又、ストップ止め位置を設けている。
３．調整棒と一重ストロー管は一体としてアンプル状容器内と別れることができる。
４．上記の調整棒と一重ストロー管を一体として、花瓶の用水に挿入し、用水高を測ることも出来る。
５．調整棒と一重ストロー管の一体をアンプル状容器に取り付け、その一重ストロー管は調整棒でアンプル状容器口より一重ストロー管を引き出し、引っ込みの調整ができる。
６．花瓶の生け花横より一重ストロー管で花瓶底へ挿入するさい、調整棒の調整によって一重ストロー管をアンプル状容器口より奥に引くことで空き空気室に入る一重ストロー管には新たな補水元がなくなる従ってアンプル状容器口は空気口が狭く表面張力が働きアンプル状容器内の補水は容器外にこぼれない。又、用水内で使用中止の場合は、用水内より引き上げなども、調整棒の調整によって上記同様とする。
７．調整棒と一重ストロー管先端の蓋を花瓶底に立てることでアンプル状容器が独立安定保持する又、蓋先端に突起がありがビニールチューブの取り付けが出きる、用水高より高さが不足の時取り付ける。
８．調整棒の調整でアンプル状容器口と用水内水面とをおよそ同位置又は水面以下に再調整し、待機位置にする。
９．用水減水時はサイホン作用でアンプル状容器口より空気が流入し、一重ストロー管より自動的に補水を適時用水内に補充する。
１０．アンプル状の容器内には、それぞれ酸化のない、新鮮な水、抗菌性、有機酸などを補水用とし、用水内に適時自動的に補充し、用水内の表面水位を定位置に維持する簡易な機能を特徴とする生花用の自動給水容器である。
【発明の効果】
【０００５】１．生花用の自動給水容器は、新鮮な補水等を適時自動的に用水へ補充する機能を有する。
２．一重ストロー管は調整棒にてアンプル状容器口より一重ストロー管の長さを自由に調整できる。
３．調整棒と一重ストロー管は一体としてアンプル状容器内と別れることができるため用水の花瓶に挿入して花瓶の透明以外でも用水高の測定ができる。
４．アンプル状容器の外管側に滑り止めを設け、一重ストロー管のぐらつきも少なくしている。
５．一重ストロー管を花瓶底に立てることでアンプル状容器が独立安定保持できる。
６．調整棒の調整でアンプル状容器口と用水内水面とをおよそ同位置又は水面以下に再調整し、待機位置にできる。
７．用水減水時はサイホン作用でアンプル状容器口より空気流入し一重ストロー管より自動的に補水を適時用水内に補充する機能をゆうする。
８．使用中止の場合又は、用水内より引き上げ、引き下げのさいなどは、調整棒の調整によって一重ストロー管外環をアンプル状容器口より奥に引くことによって空き空気室に入る一重ストロー管には新たな補水元がなくなる従ってアンプル状容器口は表面張力が働きアンプル状容器内の補水は容器外にこぼれない機能をゆうする。
９．アンプル状容器のため簡易な取付け、取外しなど、花器及び花瓶の多種類多方面に使用できる。
そのアンプル状容器口を用水内の表面水位で自動開閉することが出来る生花用の自動給水容器を特徴とするものである。
【発明を実施するための最良の形態】
【０００６】  以下本発明を詳細に説明すると、
（目的物）
本発明の生花用の自動給水容器は、従来の鮮度保持用剤のみでなく常に水位を監視し、往々に忘れやすい状態でさらに劣化する欠点をなくし、花を維持管理し、しかも取付け、取外し容易な手段で自動的に新鮮な補水等を適時に補充する簡易な容器の機能を低コストで提供するのを特徴とするものである。
（基材、その他材料）
生花用の自動給水容器とその他材料としては、木製、金属製、ガラス、プラスチック、樹脂系等の基板からなる。
補水を入れるアンプル状容器に一重ストロー管を挿入して、一重ストロー管外環側は容器口間と僅かな間隙の空気穴をゆうし又、一重ストロー管には補水送出穴が有り、先端にアンプル状容器の蓋を取り付け、蓋の外環側に枝を出し、枝は一重ストロー管より長めの調整棒とし、アンプル状容器外管側の滑り止めに沿う。
アンプル状容器内には、それぞれ酸化のない、新鮮な水、抗菌性、有機酸などを補水用とし、先端には補水がこぼれないように蓋をする機能を材料とする。
（作用）
上記のように構成された生花用の自動給水容器の一重ストロー管の調整は必要な位置で補水液を放出する作業を自動的にでき、アンプル状容器口が水面に位置する高さを維持する機能を有するものである。
この自動給水容器で
１．不使用時は、アンプル状容器内に一重ストロー管を格納する。
２．使用時準備で、アンプル状容器内の一重ストロー管を容器口よりいっぱいに長さを引き出し、花器及び花瓶の生け花横より一重ストロー管で用水内へ挿入し、アンプル状容器口と用水内水面とをおよそ同位置にする。
３．用水減水時はサイホン作用でアンプル状容器口より空気流入し一重ストロー管補水送出穴より自動的に新鮮な補水等を適時用水内に補充する機能を有する。
４．使用中止の場合又は、用水内より引き上げるさいなどは、調整棒の調整によって一重ストロー管をアンプル状容器口より奥に引くことによって空き空気室に入る一重ストロー管には新たな補水元がなくなる従ってアンプル状容器口は表面張力が働きアンプル状容器内の補水は容器外にこぼれない。
５．調整棒はアンプル状容器内の一重ストロー管が全容器内の動作範囲内で動作するものである又、一重ストロー管の滑り止を設けている。
６．アンプル状容器の外管側に滑り止めを設け、一重ストロー管のぐらつきも少なくしている。
この自動給水容器でアンプル状容器内の一重ストロー管を容器口より引き出し、引き出した一端が容器内の補充液に浸かっていることが一重ストロー管口から自動給水する。
アンプル状容器口より空気が入ること、もし、容器口が水面にある場合か、容器口の一重ストロー管が補充液に浸かっていない空気中の場合は一重ストロー管から外に補充液が出ないし、容器口と一重ストロー管側は間隙が狭く表面張力が働き容器口から外に補充液が出ない、従って水膜ができ空気の進入ができない。
アンプル状容器内の一重ストロー管外環側が補充液に浸かっている時は他の一方の口より補充液が出、容器口と一重ストロー管外環側の間隙から空気が侵入する。
即ち、アンプル状から補充液が出る時は、
１．アンプル状容器口より空気が入ること。
２．アンプル状容器内の一重ストロー管外環側が補充液に浸かっていること。
以上の二条件が必要となる。
自動的に新鮮な補水等を適時に補充する簡易な機能を特徴とする生花用の自動給水容器。別に大型給水容器として、アンプル状の容器に供給口を設けることもできる。
【実施例】  次に実施例をあげて本発明をさらに説明する。
本発明の図１は，生花用の自動給水容器を花瓶より用水内に挿入したものである。
１．調整棒と一重ストロー管を一体として、花瓶の用水に挿入し、用水高を測り、目盛り表示により一重ストロー管内を調整する。
２．花瓶の生け花横より一重ストロー管で花瓶底へ挿入するさい、調整棒の調整によって一重ストロー管をアンプル状容器口より奥に引くことで空き空気室に入る一重ストロー管には新たな補水元がなくなる従ってアンプル状容器口は空気口が狭く表面張力が働きアンプル状容器内の補水は容器外にこぼれない。
３．一重ストロー管を花瓶底に立てることでアンプル状容器が独立安定保持する。
４．調整棒の調整によって一重ストロー管をアンプル状容器口の待機位置にする。
５．調整棒の調整でアンプル状容器口と用水内水面とをおよそ同位置又は水面以下に再調整し、待機位置にする。
６．用水減水時はサイホン作用でアンプル状容器口より空気流入し一重ストロー管補水送出穴より自動的に補水を適宜用水内に補充する。
７．用水内で使用中止の場合又は、用水内より引き上げるさいなどは、調整棒の調整によって一重ストロー管をアンプル状容器口より奥に引くことによって空き空気室に入る一重ストロー管には新たな補水元がなくなる従ってアンプル状容器口は表面張力が働きアンプル状容  器内の補水は容器外にこぼれない。
８．アンプル状容器内には、それぞれ酸化のない、新鮮な水、抗菌性、有機酸などを補水用とし、用水内に適時自動的に補充し、用水内の表面水位を定位置に維持する簡易な機能を特徴とする生花用の自動給水容器である。
図２は，生花用の自動給水容器で形状と部品を示したものである。
１．調整棒と一重ストロー管は一体としてアンプル状容器内と別れることができる。
２．調整棒はアンプル状容器内の一重ストロー管が全容器内の動作範囲内で動作するものである又、ストップの止位置を設けている。
３．アンプル状容器の外管側に滑り止めを設け、一重ストロー管のぐらつきも少なくしている。
【産業上の利用可能性】  生花用の自動給水容器はアンプル状容器のため、取り付け取り外し容易で維持管理するもの、生花以外の花や植物、動物の適時の新鮮な補水、又は食物等及び、油脂などの補充、研究用を自動的に保存の確保、細菌の繁殖と腐敗から守ることなど多種多用に使用できる。
【図面の簡単な説明】
【０００７】
【図１】  本発明の実施図、生花用の自動給水容器である。
【図２】  生花用の自動給水容器と部品図を示したものである。
【符号の説明】
【０００８】１．．．アンプル状容器
２．．．一重ストロー管
３．．．調整棒
４．．．滑り止め
５．．．アンプル状容器蓋
【図１】
2006087413.tif 000003
【図２】
2006087413.tif 000004